(57)【特許請求の範囲】
【請求項１】
画像データを記録する第１記憶領域、前記画像データの処理目的を記録する第２記憶領域及び前記処理目的に応じた画像データに対する処理内容を記録する第３記憶領域を備えた画像ファイルを作成するための画像ファイル作成プログラムであって、前記第１記憶領域に記録されている画像データに対する処理目的であってユーザにより入力された当該処理目的を受け付けるステップと、この受け付けた処理目的を前記第２記憶領域に記録するステップと、前記画像データの処理目的に対応してユーザにより入力された前記画像データに対する処理内容を受け付けるステップと、この受け付けた処理内容を前記第３記憶領域に記録するステップとをコンピュータに実行させるようにしたことを特徴とする画像ファイル作成プログラム。
【請求項２】
前記ユーザによる処理目的の入力の前に、予め設定されている複数の処理目的をユーザによる表示指示に応じて表示部に表示させるステップをコンピュータに実行させるものであり、前記ユーザによる処理目的の入力は、前記表示部に表示された複数の処理目的のうちから１の処理目的が選択されることで実行されるものであることを特徴とする請求項１記載の画像ファイル作成プログラム。
【請求項３】
画像データが記録された第１記憶領域、前記画像データの処理目的が記録された第２記憶領域及び前記処理目的に応じた画像データに対する処理内容が記録された第３記憶領域を備えた画像ファイルから処理目的及び処理内容の異なる別の画像ファイルを作成するための画像ファイル作成プログラムであって、ユーザにより新たに入力された処理目的を受け付けるステップと、前記第２記憶領域に記録されている処理目的を新たに受け付けた処理目的に書き換えるステップと、新たな処理目的に応じてユーザにより入力された新たな処理内容を受け付けるステップと、前記第３記憶領域に記録されている処理内容を新たに受け付けた処理内容に書き換えるステップとをコンピュータに実行させるようにしたことを特徴とする画像ファイル作成プログラム。
【請求項４】
前記ユーザによる新たな処理目的の入力の前に、ユーザによる読取指示に応じて前記第２記憶領域から処理目的を読み取るステップと、この読み取った処理目的を表示部に表示させるステップと、予め設定されている複数の処理目的を表示部に表示させるステップとをコンピュータに実行させるものであり、前記ユーザによる新たな処理目的の入力は、前記表示部に表示された複数の処理目的のうちから１の処理目的が選択されることで実行されるものであることを特徴とする請求項３記載の画像ファイル作成プログラム。
【請求項５】
前記第３記憶領域に記録されている処理内容は互いに異なる複数の処理内容を含むものであって、前記ユーザにより入力されて書き換えられる新たな処理内容は、前記記録されている複数の処理内容の一部のみであり、残る処理内容は書き換えないようにしたことを特徴とする請求項３又は４記載の画像ファイル作成プログラム。
【請求項６】
前記残る処理内容は、ユーザが設定した画像のトリミング領域であることを特徴とする請求項５記載の画像ファイル作成プログラム。
【請求項７】
前記残る処理内容は、ユーザが設定した画像の回転角であることを特徴とする請求項５記載の画像ファイル作成プログラム。
【請求項８】
前記残る処理内容は、ユーザが設定した画像の色変換であることを特徴とする請求項５記載の画像ファイル作成プログラム。
【請求項９】
前記画像データは、撮像素子で撮像して得た画像データが記録されたものであることを特徴とする請求項１乃至８のいずれかに記載の画像ファイル作成プログラム。
【請求項１０】
画像データを記録する第１記憶領域、前記画像データの処理目的を記録する第２記憶領域、前記処理目的に応じた画像データに対する処理内容を記録する第３記憶領域及び前記画像データを利用した商品の注文データを記録する第４記憶領域を備えた画像ファイルを作成するための画像ファイル作成プログラムであって、前記第１記憶領域に記録されている画像データに対する処理目的であって通信回線を介して外部装置に対し注文商品を指定する際に前記通信回線を介して当該外部装置から取り込まれた処理目的を受け付けるステップと、この受け付けた処理目的を前記第２記憶領域に記録するステップと、前記画像データの処理目的に対応してユーザにより入力された前記画像データに対する処理内容を受け付けるステップと、この受け付けた処理内容を前記第３記憶領域に記録するステップと、前記画像データを利用した商品を注文するための注文データであってユーザにより入力された当該注文データを受け付けるステップと、この受け付けた注文データを前記第４記憶領域に記録するステップとをコンピュータに実行させるようにしたことを特徴とする画像ファイル作成プログラム。
【請求項１１】
前記第２記憶領域には、互いに異なる複数の処理目的が記録されることを特徴とする請求項１０記載の画像ファイル作成プログラム。
【請求項１２】
前記第３記憶領域には、前記複数の処理目的に対して共通の処理内容が記録されることを特徴と請求項１１記載の画像ファイル作成プログラム。
【請求項１３】
前記画像ファイルは通信回線を介して注文を受け付ける外部装置名を記録する第５記憶領域を備えたものであり、ユーザにより入力された外部装置名を受け付けるステップと、この受け付けた外部装置名を前記第５記憶領域に記録するステップとをコンピュータに実行させるようにしたことを特徴とする請求項１０乃至１２のいずれかに記載の画像ファイル作成プログラム。
【請求項１４】
前記画像ファイルは通信回線を介して注文を受け付ける外部装置側での処理内容を記録する第６記憶領域を備えたものであり、外部装置側のユーザにより入力された外部装置側での処理内容を受け付けるステップと、この受け付けた処理内容を前記第６記憶領域に記録するステップとをコンピュータに実行させるようにしたことを特徴とする請求項１０乃至１３のいずれかに記載の画像ファイル作成プログラム。
【請求項１５】
第１記憶領域に画像データが記録され、第２記憶領域に前記画像データの処理目的が記録され、第３記憶領域に前記処理目的に応じた画像データに対する処理内容が記録された画像ファイルを用いて前記画像データに対する画像処理を行う画像処理プログラムであって、前記第１記憶領域から画像データを読み出すステップと、この読み出した画像データを処理用記憶手段に記録させるステップと、前記第２記憶領域から処理目的を読み出すステップと、前記第３記憶領域から処理内容を読み出すステップと、前記処理用記憶手段に記録されている画像データに対し前記読み出した処理目的に応じた処理内容に基づいて画像処理を行うステップとをコンピュータに実行させるようにしたことを特徴とする画像処理プログラム。
【請求項１６】
前記画像ファイルは、第４記憶領域に前記画像データを利用した商品の注文データが記録され、第５記憶領域に通信回線を介して注文を受け付ける外部装置名が記録されたものであることを特徴とする請求項１５記載の画像処理プログラム。
【請求項１７】
前記画像ファイルは、通信回線を介して注文を受け付ける外部装置に送信され、当該外部装置に保存されるものであることを特徴とする請求項１６記載の画像処理プログラム。
【請求項１８】
前記画像ファイルは、第６記憶領域に通信回線を介して注文を受け付ける外部装置における処理内容が記録されたものであり、前記画像処理を行うステップは、前記外部装置において前記第６記憶領域に記録された処理内容に基づき第１記憶領域に記録されている画像データに対し画像処理を行うものであることを特徴とする請求項１７記載の画像処理プログラム。
【請求項１９】
前記第６記憶領域に記録された処理内容に基づいて第１記憶領域に記録されている画像データに対し画像処理を行った後に、当該画像データを用いて所定の処理を実行するステップをコンピュータに実行させるようにしたことを特徴とする請求項１８記載の画像処理プログラム。
【請求項２０】
画像データを記録する第１記憶領域、前記画像データの処理目的を記録する第２記憶領域及び前記処理目的に応じた画像データに対する処理内容を記録する第３記憶領域を備えた画像ファイルを作成するための画像ファイル作成装置であって、前記第１記憶領域に記録されている画像データに対する処理目的及び当該処理目的に対応する前記画像データに対する処理内容を入力する入力手段と、この入力手段により入力された処理目的を前記第２記憶領域に記録させ、前記入力手段により入力された処理内容を前記第３記憶領域に記録させる記憶制御手段とを備えたことを特徴とする画像ファイル作成装置。
【請求項２１】
画像データを記録する第１記憶領域、前記画像データの処理目的を記録する第２記憶領域、前記処理目的に応じた画像データに対する処理内容を記録する第３記憶領域及び前記画像データを利用した商品の注文データを記録する第４記憶領域を備えた画像ファイルを作成するための画像ファイル作成装置であって、前記第１記憶領域に記録されている画像データに対する処理目的に対応する前記画像データに対する処理内容及び前記画像データを利用した商品を注文するための注文データを入力する入力手段と、通信回線を介して外部装置に対し注文商品を指定する際に前記通信回線を介して当該外部装置から取り込まれた処理目的を前記第２記憶領域に記録させ、前記入力手段により入力された処理内容を前記第３記憶領域に記録させ、前記入力手段により入力された注文データを前記第４記憶領域に記録させる記憶制御手段とを備えたことを特徴とする画像ファイル作成装置。
【請求項２２】
前記画像ファイルは、通信回線を介して注文を受け付ける外部装置名を記録する第５記憶領域を備えたものであって、前記入力手段は前記外部装置名を入力するものであり、前記記憶制御手段は、前記入力手段により入力された外部装置名を第５記憶領域に記録させるものであることを特徴とする請求項２１記載の画像ファイル作成装置。
【発明の詳細な説明】
【０００１】
【発明の属する技術分野】
本発明は、画像ファイルを作成する画像ファイル作成プログラム、この画像ファイルを用いて画像処理を行う画像処理プログラム、及び画像ファイルを作成する画像ファイル作成装置に関する。
【０００２】
【従来の技術】
従来から、画像ファイルに記録されている画像データに対し、パーソナルコンピュータ等の画像処理装置を用いて色合い、明るさ、コントラスト等の変更を加える画像処理が行われている。この場合、画像処理を繰り返すごとに画像データが劣化することになって元の画像データに復元することが困難となるため、元の画像データのバックアップをとっておくようにする等、画像データの管理に細心の注意を払う必要があった。このため、元の画像データと、その画像データに対し所定の画像処理を行った後の画像データとを分けて管理を行うようにすることが提案されている（特開昭６３−８２５５３号公報、特開平７−８５２３７号公報、特開２０００−５７３３４号公報、特開２０００−７６４７４号公報）。
【０００３】
【発明が解決しようとする課題】
しかしながら、上記提案されている技術は、元の画像データを保存できるように考慮したものではあるが、画像データの処理に不慣れなユーザにとっては処理操作が困難で、必ずしも短時間で目的とする画像処理結果に到達することができるものとはいい難いものであった。
【０００４】
本発明は、このような事情に鑑みてなされたもので、短時間で容易に目的とする画像処理結果を得ることができる画像ファイルを作成可能な画像ファイル作成プログラム、画像処理プログラム及び画像ファイル作成装置を提供することを目的とする。
【０００５】
【課題を解決するための手段】
上記目的を達成するため、請求項１の発明は、画像データを記録する第１記憶領域、前記画像データの処理目的を記録する第２記憶領域及び前記処理目的に応じた画像データに対する処理内容を記録する第３記憶領域を備えた画像ファイルを作成するための画像ファイル作成プログラムであって、前記第１記憶領域に記録されている画像データに対する処理目的であってユーザにより入力された当該処理目的を受け付けるステップと、この受け付けた処理目的を前記第２記憶領域に記録するステップと、前記画像データの処理目的に対応してユーザにより入力された前記画像データに対する処理内容を受け付けるステップと、この受け付けた処理内容を前記第３記憶領域に記録するステップとをコンピュータに実行させるようにしたことを特徴としている。
【０００６】
この構成によれば、ユーザにより入力された処理目的が第２記憶領域に記録され、処理目的に対応してユーザにより入力された処理内容が第３記憶領域に記録される。このようにして作成された画像ファイルは、第２記憶領域に画像データの処理目的が記録されているため、画像ファイルの利用目的が明確になる結果、誤って画像ファイルを他の目的に使用するといった混乱を生じさせないようにすることができ、短時間で容易に目的とする画像処理結果を得ることができるものとなる。
【０００７】
また、請求項２の発明は、請求項１に係るものにおいて、前記ユーザによる処理目的の入力の前に、予め設定されている複数の処理目的をユーザによる表示指示に応じて表示部に表示させるステップをコンピュータに実行させるものであり、前記ユーザによる処理目的の入力は、前記表示部に表示された複数の処理目的のうちから１の処理目的が選択されることで実行されるものであることを特徴としている。
【０００８】
この構成によれば、予め設定されている複数の処理目的が表示部に表示されるため、この表示部に表示された複数の処理目的のうちから１の処理目的を選択するだけで処理目的の入力ができることになり、入力作業が簡素化されて容易に目的とする画像処理結果を得ることができる。
【０００９】
また、請求項３の発明は、画像データが記録された第１記憶領域、前記画像データの処理目的が記録された第２記憶領域及び前記処理目的に応じた画像データに対する処理内容が記録された第３記憶領域を備えた画像ファイルから処理目的及び処理内容の異なる別の画像ファイルを作成するための画像ファイル作成プログラムであって、ユーザにより新たに入力された処理目的を受け付けるステップと、前記第２記憶領域に記録されている処理目的を新たに受け付けた処理目的に書き換えるステップと、新たな処理目的に応じてユーザにより入力された新たな処理内容を受け付けるステップと、前記第３記憶領域に記録されている処理内容を新たに受け付けた処理内容に書き換えるステップとをコンピュータに実行させるようにしたことを特徴としている。
【００１０】
この構成によれば、第２記憶領域に記録されている処理目的がユーザにより新たに入力された処理目的に書き換えられ、第３記憶領域に記録されている処理内容がユーザにより新たに入力された処理内容に書き換えられる。これにより、第１記憶領域に記録されている画像データはそのままで新たな画像ファイルが作成される。
【００１１】
また、請求項４の発明は、請求項３に係るものにおいて、前記ユーザによる新たな処理目的の入力の前に、ユーザによる読取指示に応じて前記第２記憶領域から処理目的を読み取るステップと、この読み取った処理目的を表示部に表示させるステップと、予め設定されている複数の処理目的を表示部に表示させるステップとをコンピュータに実行させるものであり、前記ユーザによる新たな処理目的の入力は、前記表示部に表示された複数の処理目的のうちから１の処理目的が選択されることで実行されるものであることを特徴としている。
【００１２】
この構成によれば、予め設定されている複数の処理目的が表示部に表示されるため、この表示部に表示された複数の処理目的のうちから１の処理目的を選択するだけで処理目的の入力ができることになり、入力作業が簡素化されて容易に目的とする画像処理結果を得ることができる。
【００１３】
また、請求項５の発明は、請求項３又は４に係るものにおいて、前記第３記憶領域に記録されている処理内容は互いに異なる複数の処理内容を含むものであって、前記ユーザにより入力されて書き換えられる新たな処理内容は、前記記録されている複数の処理内容の一部のみであり、残る処理内容は書き換えないようにしたことを特徴としている。
【００１４】
この構成によれば、第３記憶領域に記録されている処理内容の一部だけが書き換えられて新たな画像ファイルが作成される。このため、新たな画像ファイルが容易に作成される。
【００１５】
また、請求項６の発明は、請求項５に係るものにおいて、前記残る処理内容は、ユーザが設定した画像のトリミング領域であることを特徴としている。この構成によれば、設定作業が比較的煩雑である画像のトリミング領域は書き換えられないので、新たな画像ファイルが容易に作成される。
【００１６】
また、請求項７の発明は、請求項５に係るものにおいて、前記残る処理内容は、ユーザが設定した画像の回転角であることを特徴としている。この構成によれば、設定作業が比較的煩雑である画像の回転角は書き換えられないので、新たな画像ファイルが容易に作成される。
【００１７】
また、請求項８の発明は、請求項５に係るものにおいて、前記残る処理内容は、ユーザが設定した画像の色変換であることを特徴としている。この構成によれば、設定作業が比較的煩雑である画像の色変換は書き換えられないので、新たな画像ファイルが容易に作成される。
【００１８】
また、請求項９の発明は、請求項１乃至８のいずれかに係るものにおいて、前記画像データは、撮像素子で撮像して得た画像データが記録されたものであることを特徴としている。
【００１９】
この構成によれば、撮像素子で撮像して得た画像データが取り込まれて第１記憶領域に記録される。なお、撮像素子で撮像して得た画像データは、実質的に解像度を落とさない状態で第１記憶領域に記録されることが望ましい。このように実質的に解像度を落とさない状態で記録されるようにすることで、第１記憶領域に記録されている画像データはそのままの状態で処理目的等を書き換えるだけで新たな画像ファイルを容易に作成することができる。
【００２０】
また、請求項１０の発明は、請求項１に係るものにおいて、画像データを記録する第１記憶領域、前記画像データの処理目的を記録する第２記憶領域、前記処理目的に応じた画像データに対する処理内容を記録する第３記憶領域及び前記画像データを利用した商品の注文データを記録する第４記憶領域を備えた画像ファイルを作成するための画像ファイル作成プログラムであって、前記第１記憶領域に記録されている画像データに対する処理目的であって通信回線を介して外部装置に対し注文商品を指定する際に前記通信回線を介して当該外部装置から取り込まれた処理目的を受け付けるステップと、この受け付けた処理目的を前記第２記憶領域に記録するステップと、前記画像データの処理目的に対応してユーザにより入力された前記画像データに対する処理内容を受け付けるステップと、この受け付けた処理内容を前記第３記憶領域に記録するステップと、前記画像データを利用した商品を注文するための注文データであってユーザにより入力された当該注文データを受け付けるステップと、この受け付けた注文データを前記第４記憶領域に記録するステップとをコンピュータに実行させるようにしたことを特徴としている。
【００２１】
この構成によれば、通信回線を介して外部装置に対し注文商品を指定する際に該通信回線を介して外部装置から取り込まれた処理目的が第２記憶領域に記録され、処理目的に対応してユーザにより入力された処理内容が第３記憶領域に記録され、ユーザにより入力された商品を注文するための注文データが第４記憶領域に記録される。このようにして作成された画像ファイルは、第２記憶領域に画像データの処理目的が記録されているため、画像ファイルの利用目的が明確になる結果、誤って画像ファイルを他の目的に使用するといった混乱を生じさせないようにすることができ、短時間で容易に目的とする画像処理結果を得ることができるものとなる。
【００２２】
また、請求項１１の発明は、請求項１０に係るものにおいて、前記第２記憶領域には、互いに異なる複数の処理目的が記録されることを特徴としている。この構成によれば、第２記憶領域に複数の処理目的が記録されて画像ファイルが作成される。このため、同一の画像データが複数の処理目的に利用され、画像ファイルの効率化が図れる。
【００２３】
また、請求項１２の発明は、請求項１１に係るものにおいて、前記第３記憶領域には、前記複数の処理目的に対して共通の処理内容が記録されることを特徴としている。
【００２４】
この構成によれば、第３記憶領域に複数の処理目的に対し共通の処理内容が記録されて画像ファイルが作成される。このため、同一の処理内容が複数の処理目的に利用され、画像ファイルの効率化が図れる。
【００２５】
また、請求項１３の発明は、請求項１０乃至１２のいずれかに係るものにおいて、前記画像ファイルは通信回線を介して注文を受け付ける外部装置名を記録する第５記憶領域を備えたものであり、ユーザにより入力された外部装置名を受け付けるステップと、この受け付けた外部装置名を前記第５記憶領域に記録するステップとをコンピュータに実行させるようにしたことを特徴としている。
【００２６】
この構成によれば、ユーザにより入力された外部装置名が第５記憶領域に記録されて画像ファイルが作成される。このため、通信回線を介して注文を行う場合に注文先を誤らないようにすることができる。
【００２７】
また、請求項１４の発明は、請求項１０乃至１３のいずれかに係るものにおいて、前記画像ファイルは通信回線を介して注文を受け付ける外部装置側での処理内容を記録する第６記憶領域を備えたものであり、外部装置側のユーザにより入力された外部装置側での処理内容を受け付けるステップと、この受け付けた処理内容を前記第６記憶領域に記録するステップとをコンピュータに実行させるようにしたことを特徴としている。
【００２８】
この構成によれば、外部装置側のユーザにより入力された処理内容が第６記憶領域に記録されて画像ファイルが作成される。これにより、第６記憶領域に記録された処理内容に基づいて画像処理が実行される。
【００２９】
また、請求項１５の発明は、第１記憶領域に画像データが記録され、第２記憶領域に前記画像データの処理目的が記録され、第３記憶領域に前記処理目的に応じた画像データに対する処理内容が記録された画像ファイルを用いて前記画像データに対する画像処理を行う画像処理プログラムであって、前記第１記憶領域から画像データを読み出すステップと、この読み出した画像データを処理用記憶手段に記録させるステップと、前記第２記憶領域から処理目的を読み出すステップと、前記第３記憶領域から処理内容を読み出すステップと、前記処理用記憶手段に記録されている画像データに対し前記読み出した処理目的に応じた処理内容に基づいて画像処理を行うステップとをコンピュータに実行させるようにしたことを特徴としている。
【００３０】
この構成によれば、第１記憶領域から画像データが読み出されて処理用記憶手段に記録され、この処理用記憶手段に記録された画像データに対し画像処理が実行される。このため、第１記憶領域に記憶されている画像データは劣化することがないので、この画像データをそのまま用い、処理目的等を書き換えるだけで新たな画像ファイルを容易に作成することができる。
【００３１】
また、請求項１６の発明は、請求項１５に係るものにおいて、前記画像ファイルは、第４記憶領域に前記画像データを利用した商品の注文データが記録され、第５記憶領域に通信回線を介して注文を受け付ける外部装置名が記録されたものであることを特徴としている。
【００３２】
この構成によれば、画像データを利用した商品の注文データが第４記憶領域に記録され、通信回線を介して注文を受け付ける外部装置名が第５記憶領域に記録されて画像ファイルが作成される。
【００３３】
また、請求項１７の発明は、請求項１６に係るものにおいて、前記画像ファイルは、通信回線を介して注文を受け付ける外部装置に送信され、当該外部装置に保存されるものであることを特徴としている。
【００３４】
この構成によれば、画像ファイルが通信回線を介して注文を受け付ける外部装置に送信され、その外部装置に保存される。このため、外部装置側において画像データに対する画像処理を実行することができる。
【００３５】
また、請求項１８の発明は、請求項１７に係るものにおいて、前記画像ファイルは、第６記憶領域に通信回線を介して注文を受け付ける外部装置における処理内容が記録されたものであり、前記画像処理を行うステップは、前記外部装置において前記第６記憶領域に記録された処理内容に基づき第１記憶領域に記録されている画像データに対し画像処理を行うものであることを特徴としている。
【００３６】
この構成によれば、外部装置側で第６記憶領域に記録された処理内容に基づき第１記憶領域に記録されている画像データに対して画像処理が実行される。
【００３７】
また、請求項１９の発明は、請求項１８に係るものにおいて、前記第６記憶領域に記録された処理内容に基づいて第１記憶領域に記録されている画像データに対し画像処理を行った後に、当該画像データを用いて所定の処理を実行するステップをコンピュータに実行させるようにしたことを特徴としている。
【００３８】
この構成によれば、第６記憶領域に記録されている処理内容に基づいて第１記憶領域に記録されている画像データに対し画像処理が実行され、この画像処理の実行された画像データを用いて所定の処理が実行される。
【００３９】
また、請求項２０の発明は、画像データを記録する第１記憶領域、前記画像データの処理目的を記録する第２記憶領域及び前記処理目的に応じた画像データに対する処理内容を記録する第３記憶領域を備えた画像ファイルを作成するための画像ファイル作成装置であって、前記第１記憶領域に記録されている画像データに対する処理目的及び当該処理目的に対応する前記画像データに対する処理内容を入力する入力手段と、この入力手段により入力された処理目的を前記第２記憶領域に記録させ、前記入力手段により入力された処理内容を前記第３記憶領域に記録させる記憶制御手段とを備えたことを特徴としている。
【００４０】
この構成によれば、ユーザにより入力された処理目的が第２記憶領域に記録され、処理目的に対応してユーザにより入力された処理内容が第３記憶領域に記録される。このようにして作成された画像ファイルは、第２記憶領域に画像データの処理目的が記録されているため、画像ファイルの利用目的が明確になる結果、誤って画像ファイルを他の目的に使用するといった混乱を生じさせないようにすることができ、短時間で容易に目的とする画像処理結果を得ることができるものとなる。
【００４１】
また、請求項２１の発明は、画像データを記録する第１記憶領域、前記画像データの処理目的を記録する第２記憶領域、前記処理目的に応じた画像データに対する処理内容を記録する第３記憶領域及び前記画像データを利用した商品の注文データを記録する第４記憶領域を備えた画像ファイルを作成するための画像ファイル作成装置であって、前記第１記憶領域に記録されている画像データに対する処理目的に対応する前記画像データに対する処理内容及び前記画像データを利用した商品を注文するための注文データを入力する入力手段と、通信回線を介して外部装置に対し注文商品を指定する際に前記通信回線を介して当該外部装置から取り込まれた処理目的を前記第２記憶領域に記録させ、前記入力手段により入力された処理内容を前記第３記憶領域に記録させ、前記入力手段により入力された注文データを前記第４記憶領域に記録させる記憶制御手段とを備えたことを特徴としている。
【００４２】
この構成によれば、通信回線を介して外部装置に対し注文商品を指定する際に該通信回線を介して外部装置から取り込まれた処理目的が第２記憶領域に記録され、処理目的に対応してユーザにより入力された処理内容が第３記憶領域に記録され、ユーザにより入力された商品を注文するための注文データが第４記憶領域に記録される。このようにして作成された画像ファイルは、第２記憶領域に画像データの処理目的が記録されているため、画像ファイルの利用目的が明確になる結果、誤って画像ファイルを他の目的に使用するといった混乱を生じさせないようにすることができ、短時間で容易に目的とする画像処理結果を得ることができるものとなる。
【００４３】
また、請求項２２の発明は、請求項２１に係るものにおいて、前記画像ファイルは、通信回線を介して注文を受け付ける外部装置名を記録する第５記憶領域を備えたものであって、前記入力手段は前記外部装置名を入力するものであり、前記記憶制御手段は、前記入力手段により入力された外部装置名を第５記憶領域に記録させるものであることを特徴としている。
【００４４】
この構成によれば、画像データを利用した商品の注文データが第４記憶領域に記録され、通信回線を介して注文を受け付ける外部装置名が第５記憶領域に記録されて画像ファイルが作成される。
【００４５】
【発明の実施の形態】
図１は、本発明の第１実施形態に係る画像ファイルを作成するための画像ファイル作成装置の外観構成を示す図であり、図２は、画像ファイル作成装置の制御構成を示すブロック図である。これらの図において、画像ファイル作成装置１０は、例えばパーソナルコンピュータで構成されたものであり、本体制御部１２と、本体制御部１２に接続された画像データ読取部１４と、本体制御部１２に接続されたＣＲＴディスプレイ等からなる表示部１６と、本体制御部１２に接続された第１入力部であるキーボード１８と、本体制御部１２に接続された第２入力部であるマウス２０と、本体制御部１２に接続されたプリンタ２２とを備えている。
【００４６】
本体制御部１２は、演算処理を実行するＣＰＵ１２１、処理プログラムや各種データ等を記憶するハードディスク等の記憶部１２２、及び、データを一時的に保存するＲＡＭ１２３により構成されている。この本体制御部１２には、画像データ読取部１４で読み取られた画像データを記録（記憶）すると共に、この画像データの処理目的（使用目的）や画像データに対する処理内容等を記録する原画記憶部１２４、原画記憶部１２４から読み出した画像データを一時的に保存し、この保存した画像データに対して画像処理を行うための処理用記憶部１２５、及び、画像処理された後の画像データを保存する保存用記憶部１２６が接続されている。これら記憶部１２４，１２５，１２６は、例えばハードディスクで構成されている。
【００４７】
画像データ読取部１４は、デジタルカメラ等の撮像手段で撮像されて取得された画像データやそれに付随する画像情報等の記録されているメモリが装着可能に構成されたもので、この装着されたメモリに記録されている画像データ等を読み取るものである。この画像データ読取部１４で読み取った画像データ等は、原画記憶部１２４に記録される。なお、デジタルカメラ等の撮像手段をＵＳＢケーブル等により本体制御部１２に接続することで、撮像手段に内蔵されているメモリ内の画像データ等を直接取り込むようにすることもできる。また、感光紙等に記録されている被写体像をスキャナ等で読み取り、この読み取った画像データを原画記憶部１２４に記録することもできる。
【００４８】
表示部１６は、原画記憶部１２４あるいは処理用記憶部１２５から読み出した画像データに基づいて表示面１６１に画像を表示すると共に、この表示面１６１に画像を表示した状態で所定の画像処理を行うようにするものである。キーボード１８及びマウス２０は、原画記憶部１２４に記録されている画像データの処理目的や画像データに対する処理内容等の各種画像情報を入力するためのものである。これらキーボード１８及びマウス２０から入力された処理目的や処理内容等の各種画像情報は、一旦ＲＡＭ１２３に受け入れられた後に画像データと共に原画記憶部１２４に記録される。プリンタ２２は、原画記憶部１２４に記録されている画像や画像処理の施された後の画像を記録紙上にプリントアウトするものである。
【００４９】
図３は、上記のように構成された画像ファイル作成装置１０を用いて画像ファイルを作成し、その作成した画像ファイルに基づいて処理目的を実行する一連の動作概要を説明するためのフローチャートである。なお、ここでは、デジタルカメラ等の撮像手段により被写体を撮影するステップも含めて説明している。
【００５０】
まず、デジタルカメラ等の撮像手段により被写体を撮影すると（ステップ＃１）、その撮影した画像が例えばＣＣＤＲＡＷ形式の画像データとして撮像手段内のメモリに記録される（ステップ＃３）。このメモリには、画像データと共に、その画像データの形式や階調数等の関連画像情報が同時に書き込まれる。
【００５１】
次いで、撮像手段のメモリに記録された画像データは、そのメモリを画像データ読取部１４に装着して読取開始指示を与えることで画像ファイル作成装置１０内に取り込まれ、原画記憶部１２４に記録される（ステップ＃５）。ここで、撮像手段のメモリに記録された元の画像データは、極力劣化しない状態（解像度を低下させない状態）で原画記憶部１２４に記録されるようになっている。
【００５２】
そして、キーボード１８あるいはマウス２０を操作することにより、取り込んだ画像データの処理目的（例えば、プリントアウト）が選択されると共に、画像データに対する処理内容であるサイズ（画像サイズ）が選択され、引き続いて他の処理内容（例えば、トリミング範囲）が入力される（ステップ＃７）。
【００５３】
ここで、画像データの処理目的として、本実施形態では、上記の「プリントアウト」の他に、「ＷＥＢ用の画像作成」、「壁紙作成」及び「アイコン作成」が選択可能となっている。また、画像データに対する処理内容として、上記の「サイズ」及び「トリミング範囲」の他に、「色合い」、「明るさ」及び「コントラスト」等が入力設定可能となっている。なお、この処理目的とサイズの選択操作等については後述する。
【００５４】
次いで、キーボード１８あるいはマウス２０を操作してファイルの保存を指示すると、画像データ、処理目的、処理内容等が原画記憶部１２４の所定の記憶領域にそれぞれ保存され、本発明に係る後述するファイル形式の画像ファイルが作成される（ステップ＃９）。
【００５５】
次いで、キーボード１８あるいはマウス２０を操作して処理の実行（例えば、プリントアウト）が指示されると、原画記憶部１２４に形成された画像ファイルに記録されている画像データが処理用記憶部１２５に取り込まれ、この取り込まれた画像データに対し画像ファイルに記録されている処理目的及び処理内容に従って画像処理が実行され、その画像処理の実行された画像データが例えばプリンタ２２に送信され、プリンタ２２で記録紙に対するプリントが実行される（ステップ＃１１）。
【００５６】
その後、必要に応じ、キーボード１８あるいはマウス２０を操作することで、作成された画像ファイルに記録されている画像データはそのままの状態にし、先に形成した画像ファイルの処理目的や処理内容等を変更した別の画像ファイルの作成を指示すると、別の処理目的（例えば、アイコン作成）とサイズの選択とが可能となるようになっている。このため、上記ステップ＃７における操作と同様の操作により処理目的や処理内容等の書き換えが行われ、ファイルの保存を指示することで新たな別の画像ファイルが形成される（ステップ＃１３）。
【００５７】
このように、本発明では、原画記憶部１２４から読み出した画像データに対して画像処理を実行し、原画記憶部１２４に記録されている画像データは元の状態で保存するようにしているので、元の画像データのバックアップをとっておく等の必要がないことから画像データの管理が容易となる。また、元の画像データが極力劣化しない状態（解像度を低下させない状態）で原画記憶部１２４に保存されているので、作成した画像ファイルの処理目的や処理内容等を書き換えるだけで新たな別の画像ファイルを容易に作成することができる。なお、ＣＣＤＲＡＷ形式の他に、画素補間後のＲＧＢ画像データを記録するようにしてもかまわない。
【００５８】
図４は、画像ファイル作成装置１０で作成される上述の画像ファイルのファイル形式を説明するための図である。すなわち、画像ファイル作成装置１０で作成される画像ファイル３０は、画像データ読取部１４により読み取る等して入力された画像データが記録される第１記憶領域３０１、第１記憶領域３０１に記録されている画像データの処理目的が記録される第２記憶領域３０２、及び、第１記憶領域３０１に記録されている画像データに対する処理内容が記録される第３記憶領域３０３を備えている。
【００５９】
この第１記憶領域３０１には、画像データのサイズ（横方向Ｘ及び縦方向Ｙのサイズ）、画像データの形式（例えば、ＣＣＤＲＡＷ形式）、階調数等が同時に記録され、第２記憶領域３０２には、処理目的として、プリントアウト、ＷＥＢ用の画像作成、壁紙作成、アイコン作成等が記録される。また、第３記憶領域３０３には、複数の処理記録欄が設定されており、各処理記録欄に処理の順番、処理内容、パラメータ等が記録される。なお、処理目的を記録する第２記憶領域３０２と処理内容を記録する第３記憶領域３０３との間に画像処理開始のコマンドが書き込まれ、第３記憶領域３０３の後に画像処理終了のコマンドが書き込まれている。これら各記憶領域３０１，３０２，３０３に対するデータの書き込みは、図３に示すステップ＃９において実行される。
【００６０】
図５は、上記ステップ＃７における操作を説明するための表示部１６に表示される操作画面を示す図である。すなわち、キーボード１８あるいはマウス２０を操作することで図５に示す操作画面が表示部１６の表示面１６１に表示される。
【００６１】
この操作画面の上部にはツールバーＧ０が設定されており、「ファイル」、「編集」、「設定」及び「ヘルプ」の各項目が表示されるようになっている。キーボード１８あるいはマウス２０により「ファイル」が指定されると、「開く」、「閉じる」、「保存」、「名前を付けて保存」、「印刷」、「終了」及び「フォトサービスに接続」の各操作内容一覧が画面に表示される。
【００６２】
この「開く」を指定することにより画像ファイル３０を開くことができる。「閉じる」を指定すると、開いた画像ファイル３０を閉じることができる。「保存」及び「名前を付けて保存」を指定すると、選択操作ないし指定操作した内容を画像ファイル３０の対応する記憶領域に保存することができる。「印刷」を指定すると、処理目的として「プリントアウト」を選択したときにのみプリンタ２２によりプリントを実行させることができる。「終了」を指定すると、アプリケーションを終了させることができる。また、「フォトサービスに接続」を指定すると、インターネット等の通信回線を介して外部業者にフォトサービス等を依頼することができる。
【００６３】
また、キーボード１８あるいはマウス２０により「編集」が指定されると、処理目的や処理内容の選択操作ないし指定操作を実行することができ、「設定」が指定されると、プリンタ２２の種類や圧縮率等を設定することができる。また、「ヘルプ」が指定されると、種々の操作ガイドが表示される。
【００６４】
いま、例えば、「ファイル」を指定して一覧を表示させた上で「開く」を指定し、さらに「編集」を指定することで図５に示す操作画面が表示される。この操作画面の左方上部には目的表示ボックス（リストボックス）Ｇ１が設定されており、この目的表示ボックスＧ１に選択した処理目的が表示されるようになっている。すなわち、この目的表示ボックスＧ１には、目的表示ボックスＧ１の右部に設けられている指定ボタンＧ３に対しマウス２０によるクリック操作を繰り返すことで予め設定されている複数の処理目的が択一的に表示されるようになっている。本実施形態では、上述のように処理目的として、「プリントアウト」、「ＷＥＢ用の画像作成」、「壁紙作成」及び「アイコン作成」が予め設定されている。ここでは、「プリントアウト」が選択された状態となっている。
【００６５】
また、目的表示ボックスＧ１の下方にサイズ表示ボックス（リストボックス）Ｇ２が設定されており、このサイズ表示ボックスＧ２に選択した画像のサイズが表示されるようになっている。このサイズ表示ボックスＧ２には、サイズ表示ボックスＧ２の右部に設けられている指定ボタンＧ４に対しマウス２０によるクリック操作を繰り返すことで予め設定されている複数のサイズが択一的に表示されるようになっている。このサイズは、選択された処理目的に応じて選択肢が異なるようになっている。
【００６６】
すなわち、「プリントアウト」が選択されたときは、本実施形態では、「Ａ４縦」、「Ａ４横」、「Ａ５縦」、「Ａ５横」、「はがきサイズ縦」及び「はがきサイズ横」が選択可能となっている。また、「ＷＥＢ用の画像作成」が選択されたときは、本実施形態では、「１０２４×７６８ピクセル」、「８００×６００ピクセル」、「７６８×５１２ピクセル」、「６４０×４８０ピクセル」、「３２０×２４０ピクセル」及び「１６０×７６８ピクセル」が選択可能となっている。
【００６７】
また、「壁紙作成」が選択されたときは、本実施形態では、「１６００×１２００ピクセル」、「１２００×１０２４ピクセル」、「１０２４×７６８ピクセル」、「８００×６００ピクセル」及び「６４０×４８０ピクセル」が選択可能となっている。また、「アイコン作成」が選択されたときは、本実施形態では、「６４×６４ピクセル」のみが指定できるようになっている。また、サイズ表示ボックスＧ２には、「任意」が選択可能になっている。この「任意」を選択すると、図６に示すように、サイズ表示ボックスＧ２の右方に、縦寸法ボックスＧ５と横寸法ボックスＧ６が表示され、これら各ボックスＧ５，Ｇ６に予め設定されている範囲内での任意の値（ｃｍ）をキーボード１８から入力できるようになっている。
【００６８】
また、中央右部に画像表示部Ｇ７が設定されており、この画像表示部Ｇ７に画像ファイル３０に記録されている画像データが読み出されて画像が表示され、この表示されている画像のトリミング範囲がマウス２０の操作により設定されるようになっている。本実施形態では、実線と点線とで囲まれた範囲がトリミング範囲となっており、このトリミング範囲は対角上の２点Ａ１，Ａ２の平面座標値で表わされるようになっている。
【００６９】
また、中央下部に色合いボタンＧ８が設定されており、この色合いボタンＧ８をマウス２０でクリックすることで画像の色合いが設定可能となっている。すなわち、色合いボタンＧ８をクリックすると、本実施形態では図７に示すように、操作画面の中央左部に色合い指定画面が表示され、この指定画面の中央に表示されている円内のドットＤをマウス２０の操作により円内の所定位置に移動させることで色合いの調節が可能となっている。なお、このドットＤを移動させることにより中央右部の画像表示部Ｇ７に表示されている画像の色合いが変化するようになっており、この画像を視認しながら色合いを好みのものに調節することができる。
【００７０】
また、右方下部（画像表示部Ｇ７の下方）に明るさスケールＧ９及びコントラストスケールＧ１０が設定されている。この明るさスケールＧ９では、画像の色合い設定可能時に、明るさスケールＧ９の黒三角で示すインデックスをマウス２０により左方に移動させると画像が暗くなる方向に設定でき、マウス２０により右方に移動させると画像が明るくなる方向に設定できる。また、コントラストスケールＧ１０では、画像の色合い設定可能時に、コントラストスケールＧ１０の黒三角で示すインデックスをマウス２０により左方に移動させると画像のコントラストが弱くなる方向に設定でき、マウス２０により右方に移動させると画像のコントラストが強くなる方向に設定できる。
【００７１】
また、キーボード１８あるいはマウス２０の操作により、画像表示部Ｇ７に表示されているトリミング範囲内にある画像の「右９０度回転」、「左９０度回転」、「１８０度回転」、「左右反転」及び「上下反転」の画像の回転処理や反転処理を行うことができるようになっている。
【００７２】
また、左方中央部には実行ボタンＧ１１が設定されており、この実行ボタンＧ１１をマウス２０でクリックすることにより、処理目的（この例では、プリントアウト）の選択操作が確定され、この確定された処理目的が画像ファイル３０の第２記憶領域３０２に記録される。また、実行ボタンＧ１１をクリックすることにより、処理内容であるサイズ、トリミング範囲、色合い、明るさ、コントラスト及び画像の回転／反転処理の各選択操作ないしは指定操作が確定され、これら各処理内容が画像ファイル３０の第３記憶領域３０３に記録される。
【００７３】
また、操作画面が開かれた状態でツールバーＧ０の「設定」が指定されると、図８及び図９に示すように、「プリンタ」、「圧縮率」等の一覧が表示されるようになっている。この一覧の「プリンタ」を指定すると、図８に示すように、本体制御部１２に接続されているプリンタ２２の種類が表示されるようになっており、複数種類のプリンタ２２が接続されているときに１つのプリンタ２２を指定することができる。また、この一覧の「圧縮率」を指定すると、図９に示すように、複数の圧縮率の一覧が表示され、この一覧の中から１つの圧縮率を指定することができる。これらのプリンタ２２の種類や圧縮率も画像データに対する処理内容の１つとして画像ファイル３０の第３記憶領域３０３に記録されるようになっている。これにより、各記憶領域３０１，３０２，３０３に所定のデータが記録され、ユーザの目的とする画像ファイル３０が完成する。
【００７４】
図１０は、上記のようにして作成された画像ファイル３０を用い、その第２記憶領域に記録されている処理目的が「プリントアウト」である場合の画像処理を実行するときの処理動作を説明するためのフローチャートである。すなわち、本発明に係る画像ファイル３０は、第２記憶領域３０２に処理目的である「プリントアウト」が記録されているため、画像ファイル３０の利用目的が明確になる結果、誤って画像ファイル３０を「プリントアウト」以外の他の目的に使用するといった混乱を生じさせないようにすることができる。以下、このフローチャートを参照して処理動作の概略を説明する。
【００７５】
まず、キーボード１８が操作され、画像ファイル３０に記録されている画像データに対する画像処理の実行が指令されると、第１記憶領域３０１に記録されているＣＣＤＲＡＷ形式の画像データが処理用記憶部１２５に取り込まれ、この取り込まれたＣＣＤＲＡＷ形式の画像データからＲＧＢ画像データへ変換するための補間処理が実行され（ステップ＃２１）、その補間処理が実行された後に第３記憶領域３０３に記録されているトリミング範囲の画像データが取り出される（ステップ＃２３）。この取り出された画像データに基づいて表示部１６の表示面１６１に画像が表示される。
【００７６】
次いで、第３記憶領域３０３に記録されている画像データの回転処理あるいは反転処理データに基づいて処理用記憶部１２５に記録されている画像データに対して回転／反転処理が実行される（ステップ＃２５）。この回転／反転処理が実行されると、表示面１６１に回転処理あるいは反転処理された後の画像が表示される。
【００７７】
次いで、第３記憶領域３０３に記録されている色合い、明るさ及びコントラストデータに基づいて処理用記憶部１２５に記録されている画像データに対して色合い、明るさ及びコントラストの変換処理が実行される（ステップ＃２７）。この変換処理が実行されると、表示面１６１に変換処理された後の画像が表示される。
【００７８】
次いで、第３記憶領域３０３に記録されているサイズデータと、プリンタ２２の解像度とに基づいて補間倍率が算出決定され（ステップ＃２９）、処理用記憶部１２５に記録されている画像データに対して補間処理が実行される（ステップ＃３１）。そして、プリンタ２２の種類に応じてＣＭＹＫに変換処理し、γテーブルによって８ビットデータに変換処理される（ステップ＃３３）。その後、プリンタ２２の種類に応じた輪郭強調処理が実行され（ステップ＃３５）、プリンタ２２に対しプリントデータが送信される（ステップ＃３７）。これにより、プリンタ２２は、送信されてきたプリントデータに基づいてプリント処理を実行する。
【００７９】
図１１は、上記のようにして作成された画像ファイル３０を用い、その第２記憶領域に記録されている処理目的が「ＷＥＢ用の画像作成」である場合の画像処理を実行するときの処理動作を説明するためのフローチャートである。すなわち、本発明に係る画像ファイル３０は、第２記憶領域３０２に処理目的である「ＷＥＢ用の画像作成」が記録されているため、画像ファイル３０の利用目的が明確になる結果、誤って画像ファイル３０を「ＷＥＢ用の画像作成」以外の他の目的に使用するといった混乱を生じさせないようにすることができる。以下、このフローチャートを参照して処理動作の概略を説明する。
【００８０】
まず、キーボード１８が操作されて画像ファイル３０に記録されている画像データに対する画像処理の実行が指令されると、第１記憶領域３０１に記録されているＣＣＤＲＡＷ形式の画像データが処理用記憶部１２５に取り込まれ、この取り込まれたＣＣＤＲＡＷ形式の画像データからＲＧＢ画像データへ変換するための補間処理が実行される（ステップ＃４１）。この補間処理は、例えば、注目画素の周辺のＲＧＢデータから１画素分のＲＧＢデータが作成されることで実行される。そして、この補間処理が実行された後に第３記憶領域３０３に記録されているトリミング範囲の画像データが取り出される（ステップ＃４３）。この取り出された画像データに基づいて表示部１６の表示面１６１に画像が表示される。
【００８１】
次いで、第３記憶領域３０３に記録されている画像データの処理内容に基づいて処理用記憶部１２５に記録されている画像データに対して回転／反転処理が実行される（ステップ＃４５）。この回転／反転処理が実行されると、表示面１６１に回転処理あるいは反転処理された後の画像が表示される。
【００８２】
次いで、第３記憶領域３０３に記録されている色合い、明るさ及びコントラスト処理データに基づいて処理用記憶部１２５に記録されている画像データに対して色合い、明るさ及びコントラストの変換処理が実行される（ステップ＃４７）。この変換処理が実行されると、表示面１６１に変換処理された後の画像が表示される。
【００８３】
次いで、第３記憶領域３０３に記録されているサイズデータに応じた画素数の変換処理が実行され（ステップ＃４９）、その後にγテーブルによって８ビットデータに変換処理される（ステップ＃５１）。その後、ＲＧＢデータからＬＣｒＣｂデータに変換処理され（ステップ＃５３）、Ｌハイパスフィルタ処理が実行される（ステップ＃５５）。そして、ＣｒＣｂローパスフィルタ処理が実行され（ステップ＃５７）、第３記憶領域３０３に記憶されている圧縮率に基づいて圧縮処理が実行される（ステップ＃５９）。このようにして得られた画像データに基づいてＷＥＢ用の画像が形成される。
【００８４】
図１２は、上記のようにして作成された画像ファイル３０を用い、その第２記憶領域に記録されている処理目的が「壁紙作成」である場合の画像処理を実行するときの処理動作を説明するためのフローチャートである。すなわち、本発明に係る画像ファイル３０は、第２記憶領域３０２に処理目的である「壁紙作成」が記録されているため、画像ファイル３０の利用目的が明確になる結果、誤って画像ファイル３０を「壁紙作成」以外の他の目的に使用するといった混乱を生じさせないようにすることができる。以下、このフローチャートを参照して処理動作の概略を説明する。
【００８５】
まず、キーボード１８が操作されて画像ファイル３０に記録されている画像データに対する画像処理の実行が指令されると、第１記憶領域３０１に記録されているＣＣＤＲＡＷ形式の画像データが処理用記憶部１２５に取り込まれ、この取り込まれたＣＣＤＲＡＷ形式の画像データからＲＧＢ画像データへ変換するための補間処理が実行される（ステップ＃６１）。この補間処理は、ＣＣＤＲＡＷ形式の画像データの解像度が高いときには、例えば、４画素のＲＧＧＢデータから平均化処理によって１画素分のＲＧＢデータが作成されることで実行される。そして、この補間処理が実行された後に第３記憶領域３０３に記録されているトリミング範囲の画像データが取り出される（ステップ＃６３）。この取り出された画像データに基づいて表示部１６の表示面１６１に画像が表示される。
【００８６】
次いで、第３記憶領域３０３に記録されている画像データの回転処理あるいは反転処理データに基づいて処理用記憶部１２５に記録されている画像データに対して回転／反転処理が実行される（ステップ＃６５）。この回転／反転処理が実行されると、表示面１６１に回転処理あるいは反転処理された後の画像が表示される。
【００８７】
次いで、第３記憶領域３０３に記録されている色合い、明るさ及びコントラストデータに基づいて処理用記憶部１２５に記録されている画像データに対して色合い、明るさ及びコントラストの変換処理が実行される（ステップ＃６７）。この変換処理が実行されると、表示面１６１に変換処理された後の画像が表示される。
【００８８】
次いで、第３記憶領域３０３に記録されているサイズデータに応じた画素数の変換処理が実行され（ステップ＃６９）、その後にγテーブルによって８ビットデータに変換処理される（ステップ＃７１）。その後、フィルタリング処理が実行され（ステップ＃７３）、引き続いて輪郭強調処理が実行される（ステップ＃７５）。このようにして得られた画像データに基づいて壁紙用の画像が形成される。
【００８９】
図１３は、上記のようにして作成された画像ファイル３０を用い、第２記憶領域に記録されている処理目的が「アイコン作成」である場合の画像処理を実行するときの処理動作を説明するためのフローチャートである。すなわち、本発明に係る画像ファイル３０は、第２記憶領域３０２に処理目的である「アイコン作成」が記録されているため、画像ファイル３０の利用目的が明確になる結果、誤って画像ファイル３０を「アイコン作成」以外の他の目的に使用するといった混乱を生じさせないようにすることができる。以下、このフローチャートを参照して処理動作の概略を説明する。
【００９０】
まず、キーボード１８が操作されて画像ファイル３０に記録されている画像データに対する画像処理の実行が指令されると、第１記憶領域３０１に記録されているＣＣＤＲＡＷ形式の画像データが処理用記憶部１２５に取り込まれ、この取り込まれたＣＣＤＲＡＷ形式の画像データからＲＧＢ画像データへ変換するための補間処理が実行される（ステップ＃８１）。この補間処理は、例えば、６４画素のＲＧＧＢデータから平均化処理によって１画素分のＲＧＢデータが作成される。そして、この補間処理が実行された後に第３記憶領域３０３に記録されているトリミング範囲の画像データが取り出される（ステップ＃８３）。この取り出された画像データに基づいて表示部１６の表示面１６１に画像が表示される。
【００９１】
次いで、第３記憶領域３０３に記録されている画像データの回転処理あるいは反転処理データに基づいて処理用記憶部１２５に記録されている画像データに対して回転／反転処理が実行される（ステップ＃８５）。この回転／反転処理が実行されると、表示面１６１に回転処理あるいは反転処理された後の画像が表示される。
【００９２】
次いで、第３記憶領域３０３に記録されている色合い、明るさ及びコントラストデータに基づいて処理用記憶部１２５に記録されている画像データに対して色合い、明るさ及びコントラストの変換処理が実行される（ステップ＃８７）。この変換処理が実行されると、表示面１６１に変換処理された後の画像が表示される。その後、ぼかしフィルタ処理が実行され（ステップ＃８９）、さらにγ変換処理が実行される（ステップ＃９１）。そして、輪郭強調処理が実行され（ステップ＃９３）、引き続いて縮小処理が実行される（ステップ＃９５）。このようにして得られた画像データに基づいてアイコン画像が形成される。
【００９３】
図１４は、上記のようにして作成された画像ファイル３０を用い、第１記憶領域３０１に記録されている画像データは元のままで、第２記憶領域３０２に記録されている処理目的及び第３記憶領域３０３に記録されている処理内容を書き換えることにより、新たな別の画像ファイルを作成する場合の処理動作を説明するためのフローチャートである。すなわち、本発明では、デジタルカメラ等の撮像手段で得られた元の画像データが極力劣化しない状態（解像度を低下させない状態）で画像ファイル３０に保存されているので、先に作成した画像ファイルの処理目的及び処理内容、あるいはいずれか一方のみを書き換えることで新たな画像ファイル３０を容易に作成することができる。
【００９４】
まず、原画記憶部１２４に保存されている画像ファイル３０を読み出して先の図５と同様の操作画面を表示させる。すなわち、ユーザにより画像ファイル３０に対する読取指示が与えられることでデータの読み取りが実行され、目的表示ボックス（リストボックス）Ｇ１に先に設定された処理目的（例えば、プリントアウト）が表示されるようになっている。このため、指定ボタンＧ３をマウス２０によりクリック操作して別の処理目的（例えば、壁紙作成）を表示させる（ステップ＃１０１）。
【００９５】
同様に、上記読取指示が与えられることでデータの読み取りが実行され、サイズ表示ボックス（リストボックス）Ｇ２に先に設定されたサイズが表示されるようになっている。このため、指定ボタンＧ４をマウス２０によりクリック操作して処理目的に対応した別のサイズを表示させる（ステップ＃１０３）。そして、先に設定されている各処理内容を読み出し、各処理内容を処理目的に対応させて順次更新する（ステップ＃１０５）。その後、実行ボタンＧ１１をマウス２０によりクリックする（ステップ＃１０７）。これにより、第２記憶領域３０２の処理目的の書き換えが実行されると共に、第３記憶領域３０３の処理目的の書き換えが実行され、新たな画像ファイル３０が作成される。なお、実行ボタンＧ１１は、処理目的の表示内容の更新やサイズの表示内容の更新の都度クリックしたり、各処理内容の更新の都度クリックしたりすることで順次書き換えを行うようにしてもよい。
【００９６】
図１５は、画像ファイル作成装置１０で作成され、インターネット等の通信回線を利用して画像データを利用した商品（例えば、画像を印刷した透明シールを周面に貼り付ける等したマグカップ、画像を印刷したカレンダ等）を注文する場合の画像ファイルのファイル形式を示す図である。
【００９７】
すなわち、この画像ファイル３０ａは、画像データ読取部１４により読み取る等して入力された画像データが記録される第１記憶領域３０１ａ、第１記憶領域３０１ａに記録されている画像データの処理目的が記録される第２記憶領域３０２ａ、第１記憶領域３０１ａに記録されている画像データに対する処理内容が記録される第３記憶領域３０３ａ、第１記憶領域３０１ａに記録されている画像データを利用した商品を注文するための注文情報（注文データ）が記録される第４記憶領域３０４ａ、通信回線を介して注文を受け付ける外部装置名（あるいは、ＵＲＬ）が記録される第５記憶領域３０５ａ、及び、外部装置側での処理内容を記録する第６記憶領域３０６ａを備えている。
【００９８】
この第１記憶領域３０１ａには、図３に示す画像ファイル３０の第１記憶領域３０１に記録される内容と同一の内容が画像データ読取部１４で読み取られる等して記録される。第２記憶領域３０２ａには、第１記憶領域３０１ａに記録されている画像データを利用する目的等が記録される。この第２記憶領域３０２ａは、複数の処理目的が記録可能に構成されており、この第２記憶領域３０２ａへのデータは、後述するように通信回線を介して外部から取り込まれることで記録される。
【００９９】
また、第３記憶領域３０３ａには、図３に示す画像ファイル３０の第３記憶領域３０３に記録される内容と同様の処理内容がキーボード１８等を操作することで入力されて記録される。この第３記憶領域３０３ａに記録される処理内容は、ここでは第２記憶領域３０２ａに記録される複数の処理目的に共通するものとなっている。第４記憶領域３０４ａには、発注者名、発注日及び発注内容がキーボード１８等を操作することで入力されて記録される。第５記憶領域３０５ａには、ここではＵＲＬがキーボード１８等を操作することで入力されて記録される。第６記憶領域３０６ａには、マグカップに貼り付ける透明シールに画像を印刷する場合等のマグカップの下地の色等を加味した加工情報が発注後に外部装置側で入力され、その内容が通信回線を介して取り込まれることで記録される。
【０１００】
図１６は、この画像ファイル３０ａを画像ファイル作成装置１０により作成する場合の処理内容を説明するためのフローチャートを示す図である。すなわち、デジタルカメラ等の撮像手段のメモリに記録された例えばＣＣＤＲＡＷ形式の画像データが画像データ読取部１４を介して画像ファイル作成装置１０内に取り込まれ、原画記憶部１２４に記録される（ステップ＃１１１）。ここで、撮像手段のメモリに記録された元の画像データは、極力劣化しない状態（解像度を低下させない状態）で原画記憶部１２４に記録される。
【０１０１】
次いで、画像データの処理目的が画面上で商品を発注することで通信回線を介して外部から取り込まれて原画記憶部１２４に記録される一方、キーボード１８等の操作により所定の処理内容や外部装置名等が入力されて原画記憶部１２４に記録され、さらに外部装置側で入力された処理内容が通信回線を介して取り込まれることで原画記憶部１２４に記録される（ステップ＃１１３）。
【０１０２】
そして、キーボード１８あるいはマウス２０を操作してファイルの保存を指示すると、画像データ、処理目的、処理内容等が原画記憶部１２４に形成される画像ファイルの所定の記憶領域にそれぞれ保存され、図１５に示すファイル形式の画像ファイル３０ａが作成される（ステップ＃１１５）。
【０１０３】
図１７は、画像ファイル作成装置１０をインターネット等の通信回線Ｎに接続し、外部業者（アプリケーション・サービス・プロバイダ（ＡＳＰ））のサーバ等の外部装置３１，３２に接続可能にした状態を示す図である。ここで、画像ファイル作成装置１０は、通信回線Ｎを介してマグカップに貼り付ける透明シールを印刷するシールプリンタに接続された外部装置３１と、カレンダを印刷するカレンダプリンタに接続された外部装置３２とに接続されるようになっている。
【０１０４】
図１８は、インターネット等の通信回線Ｎを利用し、画像ファイル３０ａに記録されている画像データを利用した商品を注文する場合の表示面１６１に表示される操作画面を示すものである。すなわち、先の図５等に示すメニューバーＧ０の「ファイル」をマウス２０等により指定すると、「フォトサービスに接続」の画面が表示され、この「フォトサービスに接続」をマウス２０等により指定することで画像ファイル作成装置１０が外部装置３１，３２に接続されるようになっている。
【０１０５】
図１９は、画像ファイル作成装置１０が外部装置３１，３２に接続されたときに表示面１６１に表示される注文画面を例示する図である。この注文画面は、通信回線Ｎを介して外部装置３１，３２から取り込まれたもので、写真入りマグカップと写真入りオリジナルカレンダとが同時に注文可能に構成されている。写真入りマグカップのチェック欄をクリックすることで、大小サイズのいずれか一方のマグカップ、あるいは両方のマグカップが注文可能となっている。ここでは、小サイズのマグカップを注文した場合を例示している。また、写真入りオリジナルカレンダのチェック欄をクリックすることで、横型（Ａ）及び縦型（Ｂ）のいずれか一方のカレンダ、あるいは両方のカレンダが注文可能となっている。ここでは、横型（Ａ）のカレンダを注文した場合を例示している。
【０１０６】
また、この注文画面では、発注者の住所、氏名、連絡先、及び、カードで決済する場合のカード番号記入欄が設けられており、キーボード１８等の操作により入力するようになっている。また、この注文画面の下部には、注文ボタンＧ１２が設けられており、この注文ボタンＧ１２をクリックすることで注文内容が確定されることになる。この注文ボタンＧ１２をクリックして注文内容が確定すると、その注文内容が通信回線Ｎを介して画像ファイル作成装置１０側に取り込まれ、図１５に示す画像ファイル３０ａの第２記憶領域３０２ａに記録されるようになっている。すなわち、図１５に示す処理目的１の欄に、画像データの処理目的が「サイズ小のマグカップへのプリント」であることが記録され、処理目的２の欄に、画像データの処理目的が「カレンダＡへのプリント」であることが記録される。
【０１０７】
このようにして、画像ファイル３０ａの第２記憶領域３０２ａに処理目的が記録されると、画像ファイル３０ａが原画記憶部１２４から読み出されて通信回線Ｎを介して外部装置３１，３２に送信される。この画像ファイル３０ａを受信した外部装置３１，３２側では、画像ファイル３０ａの第６記憶領域３０６ａにマグカップに貼り付ける透明シールに画像を印刷する場合のマグカップの下地色等を加味した加工情報が外部装置３１側のユーザにより入力されて記録される一方、その記録内容が通信回線Ｎを介して画像ファイル作成装置１０に取り込まれ、原画記憶部１２４に形成されている画像ファイル３０ａの第６記憶領域３０６ａに記録される。
【０１０８】
また、カレンダに画像を印刷するときには、画像ファイル３０ａの第６記憶領域３０６ａにカレンダの用紙の色等を加味した加工情報が外部装置３２側のユーザにより入力されてマグカップの加工情報との書き換えが行われる一方、その記録内容が通信回線Ｎを介して画像ファイル作成装置１０に取り込まれ、原画記憶部１２４に形成されている画像ファイル３０ａの第６記憶領域３０６ａのマグカップの加工情報との書き換えが行われる。
【０１０９】
図２０は、注文を受けた外部装置３１，３２側における処理動作を説明するためのフローチャートである。まず、通信回線Ｎを介して発注者からの画像ファイル３０ａを受信することで受注が行われ（ステップ＃１２１）、その後に処理目的１に対応する外部装置３１側でのマグカップに対する処理内容が外部装置３１側のユーザにより入力され、受信した画像ファイル３０ａの第６記憶領域３０６ａに記録される（ステップ＃１２３）。
【０１１０】
次いで、マグカップ用のシールプリンタが作動されてシールプリント処理（所定の処理）が実行される（ステップ＃１２５）。その後、処理目的２に対応する外部装置３２側でのカレンダに対する処理内容が外部装置３２側のユーザにより入力されると共に、受信した画像ファイル３０ａの第６記憶領域３０６ａの書き換えが行われ（ステップ＃１２７）、カレンダプリンタが作動されてカレンダのプリント処理（所定の処理）が実行される（ステップ＃１２９）。
【０１１１】
本発明は、上記実施形態において説明したように、画像ファイル３０，３０ａの第２記憶領域３０２，３０２ａに第１記憶領域画像３０１，３０１ａに記録されている画像データの処理目的（例えば、「プリントアウト」、「サイズ小のマグカップへのプリント」）が記録されるようになっているため、画像ファイル３０，３０ａの利用目的が明確になる結果、誤って画像ファイル３０，３０ａを例えば「プリントアウト」や「サイズ小のマグカップへのプリント」以外の他の目的に使用するといった混乱を生じさせないようにすることができ、短時間で容易に目的とする画像処理結果を得ることができるものとなる。
【０１１２】
なお、本発明は、上記実施形態のものに限定されるものではなく、以下に述べるような種々の変形態様を採用することができる。
【０１１３】
（１）上記実施形態では、デジタルカメラ等の撮像手段で得た画像データを画像データ読取部１４にメモリを装着する等して取り込むようにしているが、これに限るものではない。例えば、デジタルカメラ等の撮像手段で得た画像データが記録されたフロッピディスクやＣＤ−ＲＯＭ等の記録媒体を本体制御部１２に備わっている図略の読取装置に装着して読み取ることにより、原画記憶部１２４に記録するようにしてもよい。また、インターネット等の通信回線を利用して外部の装置から取り込むことも可能であり、無線装置により外部の装置から取り込むことも可能である。要は、種々の画像データ入力手段を備えておればよい。
【０１１４】
（２）上記実施形態では、画像データの処理目的を予め設定されている複数の処理目的から選択するように構成されているが、これに限るものではない。例えば、キーボード１８の操作により文字入力するようにしてもよい。また、画像のサイズも予め設定されている複数のサイズから選択するように構成されているが、キーボード１８の操作により文字入力することもできる。
【０１１５】
（３）上記実施形態では、画像ファイル３０ａは、外部装置名あるいはＵＲＬを記録する第５記憶領域３０５ａと、外部装置側での処理内容を記録する第６記憶領域３０６ａとを備えているが、これに限るものではない。例えば、外部装置名あるいはＵＲＬを記録する第５記憶領域３０５ａ、あるいは外部装置側での処理内容を記録する第６記憶領域３０６ａを有しない構成とすることもできるし、それら両方の記憶領域３０５ａ，３０６ａを有しない構成とすることもできる。また、第５記憶領域３０５ａにＵＲＬを記録する場合には、画像ファイルからＵＲＬを読み出して自動的に該ＵＲＬに接続させるようにすることもできる。
【０１１６】
【発明の効果】
以上説明したように、本発明によれば、画像ファイルの第２記憶領域に第１記憶領域に記録されている画像データの処理目的が記録されるようになっているため、画像ファイルの用途が明確になる結果、誤って画像ファイルを他の目的に使用するといった混乱を生じさせないようにすることができ、短時間で容易に目的とする画像処理結果を得ることができるものとなる。
【図面の簡単な説明】
【図１】本発明の一実施形態に係る画像ファイル作成装置の外観構成を示す図である。
【図２】図１に示す画像ファイル作成装置の制御構成を示すブロック図である。
【図３】図１に示す画像ファイル作成装置の一連の動作概要を説明するためのフローチャートである。
【図４】図１に示す画像ファイル作成装置で作成される画像ファイルのファイル形式を説明するための図である。
【図５】図１に示す画像ファイル作成装置の表示部に表示される操作画面を示す図である。
【図６】図１に示す画像ファイル作成装置の表示部に表示される操作画面を示す図である。
【図７】図１に示す画像ファイル作成装置の表示部に表示される操作画面を示す図である。
【図８】図１に示す画像ファイル作成装置の表示部に表示される操作画面を示す図である。
【図９】図１に示す画像ファイル作成装置の表示部に表示される操作画面を示す図である。
【図１０】画像データに対し画像処理を実行するときの処理動作を説明するためのフローチャートである。
【図１１】画像データに対し画像処理を実行するときの処理動作を説明するためのフローチャートである。
【図１２】画像データに対し画像処理を実行するときの処理動作を説明するためのフローチャートである。
【図１３】画像データに対し画像処理を実行するときの処理動作を説明するためのフローチャートである。
【図１４】新たな別の画像ファイルを作成する場合の処理動作を説明するためのフローチャートである。
【図１５】図１に示す画像ファイル作成装置で作成される別の画像ファイルのファイル形式を説明するための図である。
【図１６】図１５に示す別の画像ファイルを作成する場合の処理動作を説明するためのフローチャートである。
【図１７】図１に示す画像ファイル作成装置をインターネットを介して外部装置に接続した状態を示す図である。
【図１８】図１に示す画像ファイル作成装置の表示部に表示される操作画面を示す図である。
【図１９】インターネットを介して商品を注文する場合の画像ファイル作成装置の表示部に表示される注文画面を示す図である。
【図２０】注文を受けた外部装置側における処理動作を説明するためのフローチャートである。
【符号の説明】
１０  画像ファイル作成装置
１２  本体制御部（記憶制御手段）
１４  画像データ読取部
１６  表示部
１８  キーボード（入力手段）
２０  マウス（入力手段）
３０，３０ａ  画像ファイル
３１，３２  外部装置
１２４  原画記憶部
１２５  処理用記憶部
１６１  表示面
３０１，３０１ａ  第１記憶領域
３０２，３０２ａ  第２記憶領域
３０３，３０３ａ  第３記憶領域
３０４ａ  第４記憶領域
３０５ａ  第５記憶領域
３０６ａ  第６記憶領域
Ｎ  通信回線
【図１】
0003558049.tif 000002
【図２】
0003558049.tif 000003
【図３】
0003558049.tif 000004
【図４】
0003558049.tif 000005
【図５】
0003558049.tif 000006
【図６】
0003558049.tif 000007
【図７】
0003558049.tif 000008
【図８】
0003558049.tif 000009
【図９】
0003558049.tif 000010
【図１０】
0003558049.tif 000011
【図１１】
0003558049.tif 000012
【図１２】
0003558049.tif 000013
【図１４】
0003558049.tif 000014
【図１５】
0003558049.tif 000015
【図１６】
0003558049.tif 000016
【図１７】
0003558049.tif 000017
【図１８】
0003558049.tif 000018
【図１９】
0003558049.tif 000019
【図２０】
0003558049.tif 000020
【図１３】
0003558049.tif 000021